【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
第１熱媒体を循環させる第１循環回路（１００）を有するサーモサイフォン（１０）を備え、前記第１熱媒体の液相と気相の相変化により対象機器（１２ａ、１２ｂ）の温度を調整する機器温調装置であって、
第２熱媒体を循環させる第２循環回路（２００）と、前記第２循環回路の内部の前記第２熱媒体を圧縮して吐出する圧縮機（２３）と、前記圧縮機から吐出された前記第２熱媒体と空気を熱交換して前記第２熱媒体の熱を放熱する放熱用熱交換器（２１）と、前記放熱用熱交換器から流出した前記第２熱媒体を減圧させる膨張弁（２２、３３、３５）と、を有する冷凍サイクル（２０）を備え、
前記サーモサイフォンは、
前記第１循環回路に配置され、前記対象機器の冷却時に前記第１熱媒体が蒸発するように前記対象機器と前記第１熱媒体とが熱交換可能に構成された機器用熱交換器（１４）と、
前記膨張弁にて減圧された前記第２熱媒体と前記機器用熱交換器により蒸発した前記第１熱媒体を熱交換して前記第１熱媒体を凝縮させる凝縮器（１６）と、を有し、
前記凝縮器は、前記第２熱媒体を流入する流入口（１６３）と、前記第２熱媒体を流出する流出口（１６４）と、を有し、
前記放熱用熱交換器は、前記第２熱媒体を流入する流入口（２１１）と、前記第２熱媒体を流出する流出口（２１２）と、を有し、
前記圧縮機は、前記第２熱媒体を吸入する吸入口（２３１）と、前記第２熱媒体を吐出する吐出口（２３２）と、を有し、
前記第２循環回路は、前記放熱用熱交換器の前記流出口と前記凝縮器の前記流入口との間を接続する第１接続配管（２０１）と、前記凝縮器の前記流出口と前記放熱用熱交換器の前記流入口との間を接続する第２接続配管（２０２）と、を有し、
前記圧縮機が作動を停止した際に、前記放熱用熱交換器から前記凝縮器へ前記第２熱媒体が重力により流入することが抑制される構成となっており、
前記第１接続配管および前記第２接続配管の少なくとも一方には、前記第１接続配管および前記第２接続配管の少なくとも一方を流れる前記第２熱媒体の流路の流路面積を変化させる流路面積変化部（３３〜３５）が設けられており、
前記流路面積変化部は、前記第２熱媒体の流路を開閉するバルブ（３４、３５）であり、
更に当該機器温調装置は、
前記圧縮機が作動を停止したか否かを判定する動作判定部（Ｓ１００）と、
前記対象機器の保温が必要であるか否かを判定する保温判定部（Ｓ１０４）と、
前記動作判定部により前記圧縮機が作動を停止したと判定され、かつ、前記保温判定部により前記対象機器の保温が必要であると判定された場合、前記第１接続配管および前記第２接続配管の少なくとも一方を流れる前記第２熱媒体の流路の流路面積を減少させるよう前記バルブを制御する流路制御部（Ｓ１０８）と、を備えた、機器温調装置。 
【請求項２】
前記第１接続配管の少なくとも一部は、前記凝縮器の前記流入口よりも上下方向下側に配置されている請求項１に記載の機器温調装置。
【請求項３】
前記第１接続配管の少なくとも一部は、前記放熱用熱交換器の前記流出口よりも上下方向上側に配置されている請求項１または２に記載の機器温調装置。
【請求項４】
前記第２接続配管の少なくとも一部は、前記凝縮器の前記流出口よりも上下方向下側に配置されている請求項１ないし３のいずれか１つに記載の機器温調装置。
【請求項５】
前記第２接続配管の少なくとも一部は、前記放熱用熱交換器の前記流入口よりも上下方向上側に配置されている請求項１ないし４のいずれか１つに記載の機器温調装置。
【請求項６】
前記凝縮器の前記流入口および前記凝縮器の前記流出口は、前記圧縮機の前記吸入口、前記圧縮機の前記吐出口、前記膨張弁、前記放熱用熱交換器の前記流入口および前記放熱用熱交換器の前記流出口より上下方向上側に位置するよう配置されている請求項１に記載の機器温調装置。
【請求項７】
前記凝縮器の前記流入口および前記凝縮器の前記流出口は、前記第２循環回路に前記第２熱媒体が充填される際の前記第２熱媒体の目標液面よりも上下方向上側に配置されている請求項１ないし６のいずれか１つに記載の機器温調装置。
【請求項８】
前記放熱用熱交換器の前記流入口および前記放熱用熱交換器の前記流出口は、前記放熱用熱交換器の内部の前記第２熱媒体が貯まる空間の上下方向の中央よりも上方に配置されている請求項１ないし７のいずれか１つに記載の機器温調装置。
【請求項９】
前記第１接続配管に配置され、前記放熱用熱交換器の前記流出口から流出した前記第２熱媒体を溜める液溜部（３０）を備えた請求項１ないし８のいずれか１つに記載の機器温調装置。
【請求項１０】
前記圧縮機は、前記第２接続配管における前記凝縮器の前記流出口より上下方向下側に配置された部位に設けられている請求項４に記載の機器温調装置。
【請求項１１】
前記放熱用熱交換器は、前記第２熱媒体を流入する前記流入口と前記第２熱媒体を流出する前記流出口を構成する少なくとも２つの出入口（２１３）を有し、
前記放熱用熱交換器の前記出入口は、上下方向において互いに異なる位置に配置されており、
前記第１接続配管は、前記放熱用熱交換器の前記出入口のうち最も上下方向下側に配置された前記出入口よりも上下方向上側に配置された前記出入口と前記凝縮器の前記流入口との間を接続している請求項１ないし１０のいずれか１つに記載の機器温調装置。
【請求項１２】
前記機器温調装置は、車両に搭載され、
前記放熱用熱交換器は、前記第２熱媒体と前記車両の外気との熱交換を行う請求項１ないし１１のいずれか１つに記載の機器温調装置。
【請求項１３】
前記放熱用熱交換器は、前記第２熱媒体を流入する流入口（２１１）と、前記第２熱媒体を流出する流出口（２１２）と、を有し、
前記凝縮器は、前記第２熱媒体を流入する流入口（１６３）と、前記第２熱媒体を流出する流出口（１６４）と、を有し、
前記第２循環回路は、前記第１接続配管の途中に設けられた第１分岐部（Ｍ）と、前記第２接続配管の途中に設けられた第２分岐部（Ｎ）との間を接続する第３接続配管（２０３）と、を有し、
前記第３接続配管には、前記放熱用熱交換器から流入した前記第２熱媒体を減圧させる減圧部（４２）と、前記減圧部により減圧された前記第２熱媒体と前記空気を熱交換して前記空気を冷却する冷凍サイクル用蒸発器（４０）と、が設けられており、
前記第２接続配管における前記凝縮器の前記流出口と前記第２分岐部との間の流路の少なくとも一部は、前記第２分岐部よりも上下方向上側に位置するよう配置されている請求項１に記載の機器温調装置。
【手続補正２】
【補正対象書類名】明細書
【補正対象項目名】０００９
【補正方法】変更
【補正の内容】
【０００９】
上記目的を達成するため、請求項１に記載の発明は、第１熱媒体を循環させる第１循環回路（１００）を有するサーモサイフォン（１０）を備え、第１熱媒体の液相と気相の相変化により対象機器（１２ａ、１２ｂ）の温度を調整する機器温調装置であって、第２熱媒体を循環させる第２循環回路（２００）と、第２循環回路の内部の第２熱媒体を圧縮して吐出する圧縮機（２３）と、圧縮機から吐出された第２熱媒体と空気を熱交換して第２熱媒体の熱を放熱する放熱用熱交換器（２１）と、放熱用熱交換器から流出した第２熱媒体を減圧させる膨張弁（２２、３３、３５）と、を有する冷凍サイクル（２０）を備え、サーモサイフォンは、第１循環回路に配置され、対象機器の冷却時に第１熱媒体が蒸発するように対象機器と第１熱媒体とが熱交換可能に構成された機器用熱交換器（１４）と、膨張弁にて減圧された第２熱媒体と機器用熱交換器により蒸発した第１熱媒体を熱交換して第１熱媒体を凝縮させる凝縮器（１６）と、を有し、凝縮器は、第２熱媒体を流入する流入口（１６３）と、第２熱媒体を流出する流出口（１６４）と、を有し、放熱用熱交換器は、第２熱媒体を流入する流入口（２１１）と、第２熱媒体を流出する流出口（２１２）と、を有し、圧縮機は、第２熱媒体を吸入する吸入口（２３１）と、第２熱媒体を吐出する吐出口（２３２）と、を有し、第２循環回路は、放熱用熱交換器の流出口と凝縮器の流入口との間を接続する第１接続配管（２０１）と、凝縮器の流出口と放熱用熱交換器の流入口との間を接続する第２接続配管（２０２）と、を有し、圧縮機が作動を停止した際に、放熱用熱交換器から凝縮器へ第２熱媒体が重力により流入することが抑制される構成となっている。前記第１接続配管および前記第２接続配管の少なくとも一方には、前記第１接続配管および前記第２接続配管の少なくとも一方を流れる前記第２熱媒体の流路の流路面積を変化させる流路面積変化部（３３〜３５）が設けられており、前記流路面積変化部は、前記第２熱媒体の流路を開閉するバルブ（３４、３５）である。更に当該機器温調装置は、前記圧縮機が作動を停止したか否かを判定する動作判定部（Ｓ１００）と、前記対象機器の保温が必要であるか否かを判定する保温判定部（Ｓ１０４）と、更に当該機器温調装置は、前記圧縮機が作動を停止したか否かを判定する動作判定部（Ｓ１００）と、前記対象機器の保温が必要であるか否かを判定する保温判定部（Ｓ１０４）と、前記動作判定部により前記圧縮機が作動を停止したと判定され、かつ、前記保温判定部により前記対象機器の保温が必要であると判定された場合、前記第１接続配管および前記第２接続配管の少なくとも一方を流れる前記第２熱媒体の流路の流路面積を減少させるよう前記バルブを制御する流路制御部（Ｓ１０８）と、を備える。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】